(57)【要約】【課題】映像のみ、または音声のみの放送を視聴する場合に、ユーザの好みに応じた音声、または映像を提供することでユーザの利便性をより向上した放送受信装置および放送受信方法を提供する。【解決手段】本発明の一態様に係る放送受信装置は、放送信号を受信する受信部と、音声ファイルおよび映像ファイルが記憶されている記憶部と、受信部で受信した放送信号が、音声信号または映像信号であるかどうかを判定し、該判定結果に基づいて記憶部から音声ファイルまたは映像ファイルを読み出す読出部と、放送信号および読出部で読み出されたファイルに基づき音声および映像を再生する再生部と、を具備する。【選択図】図１
2010212861.tif 000002
【特許請求の範囲】
【請求項１】
放送信号を受信する受信部と、
音声ファイルおよび映像ファイルが記憶されている記憶部と、
前記受信部で受信した放送信号が、音声信号または映像信号であるかどうかを判定し、該判定結果に基づいて前記記憶部から音声ファイルまたは映像ファイルを読み出す読出部と、
前記放送信号および前記読出部で読み出されたファイルに基づき音声および映像を再生する再生部と、
を具備することを特徴とする放送受信装置。
【請求項２】
前記読出部は、
前記放送信号が音声信号である場合、前記記憶部から映像ファイルを読み出し、前記放送信号が映像信号である場合、前記記憶部から音声ファイルを読み出すことを特徴とする請求項１に記載の放送受信装置。
【請求項３】
前記記憶部には、前記音声ファイルおよび前記映像ファイルが番組情報に関連付けて記憶されており、
前記読出部は、前記放送信号から放送番組の番組情報を取得し、該取得した番組情報と同一の番組情報に関連付けられている前記音声ファイルまたは前記映像ファイルを前記記憶部から読み出すことを特徴とする請求項１または請求項２に記載の放送受信装置。
【請求項４】
前記記憶部に記憶されている前記音声ファイルおよび映像ファイルを表示する表示部をさらに具備することを特徴とする請求項１ないし請求項３のいずれか１項に記載の放送受信装置。
【請求項５】
前記記憶部に記憶されている前記音声ファイルおよび前記映像ファイルを、前記番組情報に関連付ける指示信号を受け付ける指示受付部をさらに具備し、
前記表示部は、前記関連付けのための設定画面を表示することを特徴とする請求項１ないし請求項４のいずれか１項に記載の放送受信装置。
【請求項６】
放送信号を受信するステップと、
前記受信した放送信号が、音声信号または映像信号であるかどうかを判定し、該判定結果に基づいて、音声ファイルおよび映像ファイルを記憶している記憶部から音声ファイルまたは映像ファイルを読み出すステップと、
前記受信した放送信号および前記読み出されたファイルに基づき音声および映像を再生するステップと、
を具備することを特徴とする放送受信方法。
【発明の詳細な説明】
【技術分野】
【０００１】
この発明は、放送受信装置および放送受信方法に関する。
【背景技術】
【０００２】
従来の放送受信装置には、視聴している放送番組のジャンルに応じて音声の設定を変更するものがある（例えば、特許文献１参照）。
【先行技術文献】
【特許文献】
【０００３】
【特許文献１】特開２００６−１０１３９１号公報
【発明の概要】
【発明が解決しようとする課題】
【０００４】
しかしながら、従来の放送受信装置は、映像のみ、または音声のみの放送を視聴する場合に対応していない。
上記に鑑み、本発明は、映像のみ、または音声のみの放送を視聴する場合に、音声または映像を提供することでユーザの利便性をより向上した放送受信装置および放送受信方法を提供することを目的とする。
【課題を解決するための手段】
【０００５】
本発明の一態様に係る放送受信装置は、放送信号を受信する受信部と、音声ファイルおよび映像ファイルが記憶されている記憶部と、受信部で受信した放送信号が、音声信号または映像信号であるかどうかを判定し、該判定結果に基づいて記憶部から音声ファイルまたは映像ファイルを読み出す読出部と、放送信号および読出部で読み出されたファイルに基づき音声および映像を再生する再生部と、を具備する。
【０００６】
本発明の一態様に係る放送受信方法は、放送信号を受信するステップと、受信した放送信号が、音声信号または映像信号であるかどうかを判定し、該判定結果に基づいて、音声ファイルおよび映像ファイルを記憶している記憶部から音声ファイルまたは映像ファイルを読み出すステップと、受信した放送信号および読み出されたファイルに基づき音声および映像を再生するステップと、を具備する。
【発明の効果】
【０００７】
本発明によれば、ユーザの利便性をより向上した放送受信装置および放送受信方法を提供できる。
【図面の簡単な説明】
【０００８】
【図１】第１の実施形態に係る放送受信装置の構成の一例を示した図である。
【図２】ＨＤＤに記憶されているデータの一例を示した図である。
【図３】ＨＤＤに記憶されている管理ファイルの一例を示した図である。
【図４】モニタに表示される設定画面の一例を示した図である。
【図５】モニタに表示される設定画面の一例を示した図である。
【図６】第１の実施形態に係る放送受信装置の動作の一例を示したフローチャートである。
【発明を実施するための形態】
【０００９】
以下、図面を参照して、本発明の実施形態を詳細に説明する。
（第１の実施形態）
図１は、第１の実施形態に係る放送受信装置１の構成の一例を示した図である。図２は、ＨＤＤに記憶されているデータの一例を示した図である。図３は、テーブルデータを示した図である。
【００１０】
デジタル放送では、例えば、サービスタイプが「Ｒａｄｉｏ」の時は、「音声」のみの放送であることが多い。また、サービスタイプが「Ｄａｔａ」または「Ｔｅｌｅｔｅｘｔ」などの場合、「映像」のみの放送であることが多い。
【００１１】
この第１の実施形態に係る放送受信装置１は、上記のように、音声のみ、または映像のみの放送を視聴する場合に、予め記憶しておいた映像ファイルまたは音声ファイルを再生することで、ユーザの利便性を向上するものである。以下、図１ないし図３を用いて、この第１の実施形態に係る放送受信装置１の構成について説明する。
【００１２】
（放送受信装置１の構成）
図１に示すように、第１の実施形態に係る放送受信装置１は、ＳＴＢ（Set Top Box）１０にアンテナ１０２、スピーカ１０７およびモニタ１０８を接続した構成を有する。
【００１３】
ＳＴＢ１０は、ＨＤＤ１０１、受信部１０３、分離部１０４、ファイル読出部１０５（読出部）、信号処理部１０６（再生部）、ＣＰＵ１０９、メモリ１１０、リモコン受信部１１１（指示受付部）、表示部１１２、端子１１３、Ｉ／Ｆ１１４を具備する。
【００１４】
ＨＤＤ（Hard Disk Drive）１０１は、映像ファイルや音声ファイル等を記憶する記憶装置である。記憶装置としては、例えば、ＨＤＤ１０１に代えて、フラッシュメモリを用いた記憶装置であるＳＳＤ（Solid State Drive）などを使用してもよい。
【００１５】
図２に示すように、ＨＤＤ１０１の記憶領域は、システム領域とユーザ領域とに論理的に分けられている。ユーザ領域には、映像ファイルおよび音声ファイルが、ジャンルおよびファイルの種類（映像ファイルであるか音声ファイルであるか）に応じてフォルダＡないしＦ内に記憶されている。なお、映像ファイルは、画像ファイルを含むものとする。
【００１６】
システム領域には、ユーザ領域に格納されているフォルダＡないしＦの管理ファイル２０１が格納されている。図３は、管理ファイル２０１を示した図である。管理ファイル２０１は、ユーザ領域に格納されている各フォルダＡないしＦに、ファイルの種類およびジャンルを関連付けたテーブルデータである。例えば、フォルダＡは、種別が「映像」、ジャンルが「ニュース」に関連付けられていることから、フォルダＡ内には、ニュースに関連した映像ファイルが記憶されていることがわかる。
【００１７】
アンテナ１０２は、放送局から送信されるデジタル放送信号を受信する。デジタル受信部１０３は、アンテナ１０２で受信されたデジタル放送信号から所望のチャンネルを選局する。デジタル受信部１０３は、選局したデジタル放送信号を復調してＴＳ（トランスポートストリーム）を生成する。
【００１８】
分離部１０４は、受信部１０３で生成したＴＳから放送信号（音声ＥＳ（音声信号）、映像ＥＳ（映像信号））、ＳＩ／ＰＳＩ等を分離する。
【００１９】
ＴＳは、放送信号，ＳＩ／ＰＳＩを含む多重化された信号である。放送信号は，例えば，ＭＰＥＧ−２の放送信号である。放送信号は、映像・音声のそれぞれを符号化した音声ＥＳ（Audio Elementary Stream）と映像ＥＳ（Video Elementary Stream）である。ＰＳＩは、ＴＳにどのようなプログラムが存在し、ＴＳに含まれる各ＥＳがどのプログラムに属しているかを記した情報である。また、ＳＩは、ＥＰＧ（Electric Program Guide）情報（番組情報）を含んでいる。
【００２０】
ファイル読出部１０５は、分離部１０４でＴＳから分離される放送信号が映像ＥＳまたは音声ＥＳのどちらであるか、およびＳＩ／ＰＳＩに含まれるジャンルの情報に応じて、ＨＤＤ１０１に記憶されている映像ファイルまたは音声ファイルを読み出し信号処理部１０６へ入力する。
【００２１】
信号処理部１０６は、分離部１０４で分離された音声ＥＳ、映像ＥＳ、およびファイル読出部１０５から入力される映像ファイル、音声ファイルをデコードして、映像信号、音声信号を生成する。信号処理部１０６は、音声信号をスピーカ１０７へ、映像信号をモニタ１０８へ入力する。
【００２２】
スピーカ１０７は、信号処理部１０６から入力される音声信号を出力する音声出力装置である。モニタ１０８は、信号処理部１０６から入力される映像信号および映像信号を表示する表示装置である。表示装置としては、例えば、ＬＣＤ（Liquid Crystal Display）やＣＲＴ（Cathode Ray Tube）などがある。
【００２３】
ＣＰＵ（Central Processing Unit）１０９は、この放送受信装置１全体を制御する。
【００２４】
メモリ１１０は，ＲＯＭ、ＲＡＭ（Random Access Memory）、ＮＶＲＡＭ（Non Volatile RAM：不揮発性メモリ）で構成される。ＲＯＭは，ＣＰＵ１０９が動作するためのプログラム等を記憶する。ＲＡＭは、ＣＰＵ１０９の動作時に利用され、プログラム、データ等が書き込まれる。ＮＶＲＡＭに記憶されているデータは、デジタル放送信号を使用して更新できるものとする。
【００２５】
リモコン受信部１１１は、リモートコントローラ２０（以下、リモコン２０と称する）から赤外線等の無線により送信される操作信号を受信する。リモコン２０は、「カーソル」キー、「決定」キー、「Ｏｎ／Ｏｆｆ」キーなど、放送受信装置１の操作に必要な各種キーを備える。
【００２６】
「Ｏｎ／Ｏｆｆ」キーは、音声または映像のみの放送を視聴する場合に、ＨＤＤ１０１に記憶されている映像ファイルまたは音声ファイルを再生する機能（以下、再生機能と称する）を有効または無効にするためのキーである。ユーザが「Ｏｎ／Ｏｆｆ」キーを操作する度に、再生機能の有効／無効が切り替わる。再生機能の有効／無効の設定は、メモリ１１０の所定のアドレスのフラグを立てておくことで実現できる。また、再生機能の有効／無効の切り替えは、「Ｏｎ／Ｏｆｆ」キー以外にＧＵＩメニューをモニタ１０８に表示し、このメニュー操作により行ってもよい。
【００２７】
表示部１１２は、ＨＤＤ１０１に記憶されている映像ファイルおよび音声ファイルのジャンルの設定画面をモニタ１０８に表示する。ユーザは、リモコン２０を操作して、表示部１１２によりモニタ１０８に表示される設定画面上で、ＨＤＤ１０１に記憶されている映像ファイルおよび音声ファイルに関連付けるジャンルを設定する。
【００２８】
（設定画面）
図４、図５は、モニタ１０８に表示される設定画面の一例を示した図である。図４は、映像ファイルの設定画面を示している。図４に示すように、設定画面には、ＨＤＤ１０１に記憶されている映像ファイルと、各映像ファイルがどのジャンルに関連付けられているかが一覧表示される。
【００２９】
図４に示した例では、各映像ファイルは、それぞれ２つのジャンルに関連付けることができる。ユーザは、リモコン２０が具備する「カーソル」キーおよび「決定」キーを操作して、各映像ファイルに対してジャンルの設定または変更する。
【００３０】
図５は、音声ファイルの設定画面を示している。図４に示した映像ファイルの設定画面と同様に、音声ファイルの設定画面には、ＨＤＤ１０１に記憶されている音声ファイルと、各音声ファイルがどのジャンルに関連付けられているかが一覧表示される。各音声ファイルに対するジャンルの設定または変更方法は、映像ファイルでの操作方法と同じである。
【００３１】
図４、図５では、音楽ファイルまたは映像ファイルをジャンルに関連付けて記憶する例について説明したが、時間や出演者、タイトル等、ＥＰＧ情報（番組情報）から取得可能な情報に関連付けて記憶してもよい。この場合、例えば、ある出演者（ミュージシャン等）の映像が放送されていれば、該出演者に関連する音楽ファイルが再生される。
【００３２】
また、時間情報を利用する場合、音声ファイルまたは映像ファイルを時間帯（例えば、朝、昼、夜）に関連付けてもよい。この場合、放送の視聴時間が朝であれば、朝のフォルダに記憶されている音声ファイルまたは映像ファイルが再生される。また、ジャンル情報が取得できない場合、上記時間、出演者、タイトル等、ジャンル情報以外の番組情報に関連付けられた音声ファイルまたは映像ファイルを再生してもよい。
【００３３】
端子１１３は、記憶媒体を接続するための端子である。記憶媒体とは、例えばＵＳＢメモリ、ＳＤメモリカードなどである。Ｉ／Ｆ（Inter Face）１１４は、端子１１３に接続された記憶媒体とＣＰＵ１０９との間でデータの送受信を行うためのインターフェースである。
【００３４】
ユーザは、リモコン２０を操作して、端子１１３へ接続された記憶媒体から映像ファイルや音声ファイル等をＨＤＤ１０１へ複写または移動できる。なお、ＵＳＢメモリやＳＤカードメモリに代えて、端子１１３へＤＶＤレコーダやＨＤＤレコーダ等の外部記憶装置を接続できるように構成してもよい。
【００３５】
（放送受信装置１の動作）
次に、第１の実施形態に係る放送受信装置１の動作について説明する。
図６は、放送受信装置１の動作の一例を示したフローチャートである。
【００３６】
ユーザにより、放送受信装置１の電源がオンされると、受信部１０３は、アンテナ１０２から入力されるデジタル放送信号から所望のチャンネルを選局し、選局したデジタル放送信号を復調してＴＳ（トランスポートストリーム）を生成する。
【００３７】
分離部１０４は、受信部１０３で生成したＴＳから放送信号（音声ＥＳ、映像ＥＳ）、ＳＩ／ＰＳＩ等を分離する。ファイル読出部１０５は、メモリ１１０のフラグの状態から再生機能が有効であるかどうかを確認する（ステップＳ１０１）。
【００３８】
再生機能が有効である場合（ステップＳ１０１のＹｅｓ）、ファイル読出部１０５は、分離部１０４でＴＳから分離される放送信号が映像ＥＳのみ、または音声ＥＳのみであるかを確認する（ステップＳ１０２）。
【００３９】
放送信号が映像ＥＳのみである場合、ファイル読出部１０５は、ＨＤＤ１０１に音声ファイルが記憶されているかを確認する。また、放送信号が音声ＥＳのみである場合、ファイル読出部１０５は、ＨＤＤ１０１に映像ファイルが記憶されているかを確認する（ステップＳ１０３）。
【００４０】
ファイルが存在する場合（ステップＳ１０３のＹｅｓ）、ファイル読出部１０５は、分離部１０４で分離されたＳＩ／ＰＳＩにジャンルの情報が含まれているかを確認する（ステップＳ１０４）。
【００４１】
ＳＩ／ＰＳＩにジャンルの情報が含まれている場合（Ｓ１０４のＹｅｓ）、ファイル読出部１０５は、同一ジャンルに関連付けられているファイルがＨＤＤ１０１に記憶されているかを確認する（ステップＳ１０５）。この時、放送信号が映像ＥＳのみである場合、ファイル読出部１０５は、同一のジャンルに関連付けられている音声ファイルがＨＤＤ１０１に記憶されているかを確認する。また、放送信号が音声ＥＳのみである場合、ファイル読出部１０５は、同一のジャンルに関連付けられている映像ファイルがＨＤＤ１０１に記憶されているかを確認する。
【００４２】
同一ジャンルに関連付けられているファイルがある場合（ステップＳ１０５のＹｅｓ）、ファイル読出部１０５は、同一ジャンルに関連付けられているファイルをＨＤＤ１０１から読みだして信号処理部１０６へ入力する（ステップＳ１０６）。
【００４３】
ジャンルが含まれていない場合（ステップＳ１０４のＮｏ）および同一ジャンルに関連付けられているファイルがない場合（ステップＳ１０５のＮｏ）、ファイル読出部１０５は、ＨＤＤ１０１に記憶されているファイルをジャンルに関係なく読み出す（ステップＳ１０７）。このときのファイルの読み出しは、例えば、映像ファイルを読み出す場合は、フォルダＡ、Ｂ、Ｃの順にファイルを読みだす。また、音声ファイルを読み出す場合は、フォルダＤ、Ｅ、Ｆの順にファイルを読みだす。
【００４４】
ステップＳ１０６、Ｓ１０７において、放送信号が映像ＥＳのみである場合、ファイル読出部１０５は、音声ファイルをＨＤＤ１０１から読みだす。また、放送信号が音声ＥＳのみである場合、ファイル読出部１０５は、映像ファイルをＨＤＤ１０１から読みだす。
【００４５】
映像ファイルまたは音声ファイルが複数ある場合は、複数のファイルが所定の時間毎に順次読み出されて信号処理部１０６へ入力される。ファイルを読み出す順番は、ＨＤＤ１０１に記憶された順番に読みだしてもよいし、ランダムに読みだしてもよい。また、ユーザが設定した優先度に基づいてファイルを読み出すようにしてもよい。
【００４６】
信号処理部１０６は、分離部１０４で分離される放送信号およびファイル読出部１０５から入力されるファイルをデコードして、音声信号をスピーカ１０７へ入力し、映像信号または映像信号をモニタ１０８へ入力する（ステップＳ１０８）。
【００４７】
放送信号が映像ＥＳのみである場合、ＨＤＤ１０１から読み出された音声ファイルをデコードした音声信号がスピーカ１０７へ入力される。また、放送信号の映像ＥＳをデコードした映像信号がモニタ１０８へ入力される。
【００４８】
放送信号が音声ＥＳのみである場合、放送信号の音声ＥＳをデコードした音声信号がスピーカ１０７へ入力される。また、ＨＤＤ１０１から読み出された映像ファイルをデコードした映像信号がモニタ１０８へ入力される。
【００４９】
再生機能が無効である場合（ステップＳ１０１のＮｏ）またはＨＤＤ１０１に映像ファイルまたは音声ファイルが記憶されていない場合（ステップＳ１０３のＮｏ）、放送信号が音声ＥＳまたは映像ＥＳだけがデコードされてスピーカ１０７またはモニタ１０８へ入力される。
【００５０】
以上のように、この第１の実施形態に係る放送受信装置１は、受信したデジタル放送信号の放送信号が音声ＥＳのみの場合は、ＨＤＤ１０１に記憶されている映像ファイルに基づいて映像を再生する。また、受信したデジタル放送信号の放送信号が、映像ＥＳのみの場合は、音声ファイルに基づいて音声を再生する。このため、映像のみ、または音声のみの放送を視聴する場合に、音声または映像をユーザに提供でき利便性が向上する。
【００５１】
また、放送番組のジャンルに応じた映像ファイルおよび音声ファイルを読み出し、この映像ファイルおよび音声ファイルに基づいて映像または音声を再生するので、番組の雰囲気を損なうことが少ない。さらに、ユーザが、音声ファイルおよび映像ファイルの関連付けを設定できるので、ユーザの嗜好を反映できる。
【００５２】
（その他の実施形態）
なお、本発明は上記実施形態そのままに限定されるものではなく、実施段階ではその要旨を逸脱しない範囲で構成要素を変形して具体化できる。例えば、リモコン２０に、映像のみ、または音声のみの放送を視聴中に再生機能を無効とする「キャンセル」キーを備えるようにしてもよい。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５３】
１…放送受信装置、１０…ＳＴＢ（Set Top Box）、２０…リモコン、１０１…ＨＤＤ、１０２…アンテナ、１０３…受信部、１０４…分離部、１０５…ファイル読出部、１０６…信号処理部（再生部）、１０７…スピーカ、１０８…モニタ、１０９…ＣＰＵ、１１０…メモリ、１１１…リモコン受信部（指示受付部）、１１２…表示部、１１３…端子、１１４…Ｉ／Ｆ。
【図１】
2010212861.tif 000003
【図２】
2010212861.tif 000004
【図３】
2010212861.tif 000005
【図４】
2010212861.tif 000006
【図５】
2010212861.tif 000007
【図６】
2010212861.tif 000008
【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
放送信号を受信する受信部と、
音声ファイルおよび映像ファイルが記憶されている記憶部と、
前記受信部で受信した放送信号が、音声信号または映像信号であるかどうかを判定し、前記放送信号が音声信号である場合、前記記憶部から映像ファイルを読み出し、前記放送信号が映像信号である場合、前記記憶部から音声ファイルを読み出す読出部と、
前記放送信号および前記読出部で読み出されたファイルに基づき音声および映像を再生する再生部と、
を具備することを特徴とする放送受信装置。
【請求項２】
前記記憶部には、前記音声ファイルおよび前記映像ファイルが番組情報に関連付けて記憶されており、
前記読出部は、前記放送信号から放送番組の番組情報を取得し、該取得した番組情報と同一の番組情報に関連付けられている前記音声ファイルまたは前記映像ファイルを前記記憶部から読み出すことを特徴とする請求項１に記載の放送受信装置。
【請求項３】
前記音声を出力するスピーカおよび前記映像を表示する表示部をさらに具備することを特徴とする請求項１または請求項２に記載の放送受信装置。
【請求項４】
前記記憶部に記憶されている前記音声ファイルおよび前記映像ファイルを、前記番組情報に関連付ける指示信号を受け付ける指示受付部をさらに具備し、
前記表示部は、前記関連付けのための設定画面を表示することを特徴とする請求項３に記載の放送受信装置。
【請求項５】
放送信号を受信するステップと、
前記受信した放送信号が、音声信号または映像信号であるかどうかを判定し、前記放送信号が音声信号である場合、音声ファイルおよび映像ファイルを記憶している記憶部から映像ファイルを読み出し、前記放送信号が映像信号である場合、前記記憶部から音声ファイルを読み出すステップと、
前記受信した放送信号および前記読み出されたファイルに基づき音声および映像を再生するステップと、
を実行することを特徴とする放送受信方法。